【手続補正書】
【提出日】平成15年12月12日(2003.12.12)
【手続補正１】
【補正対象書類名】明細書
【補正対象項目名】全文
【補正方法】変更
【補正の内容】
【発明の名称】カメラ
【特許請求の範囲】
【請求項１】ファインダー部と、
画像の記録を操作するトリガー手段と、
カメラ本体を保持するグリップ部と、
前記グリップ部に設けた伸縮可能な気密室と、
を具備したことを特徴とするカメラ。
【請求項２】前記気密室の気体の充填量を変更可能とするポンプを具備したことを特徴とする請求項１に記載のカメラ。
【発明の詳細な説明】
【０００１】
【発明の属する技術分野】
本発明はカメラに関するものである。
【０００２】
【従来の技術】
従来のビデオカメラのグリップ部は、図７に示すように、撮影時の保持性をよくするために、平均的な大きさの手に合わせて、カメラ本体１の手のひらのあたる部位に凸部１ａを設けたものが多い。なお、２はファインダー部、３はトリガーボタン、４はズームボタンである。また、保持性を犠牲にして携帯性を優先させ、凸部を少なくしたものもある。
【０００３】
このほか、図８に示すように、ハンドストラップ４１を中空とし、その内部に簡易ポンプにより気体を充填、排出可能としたビデオカメラが特開平７−２３９５０２号公報に公開されている。このカメラでは、手はハンドストラップ４１とカメラ本体４２の間に入れて、カメラ本体３２のグリップ部を握る。
【０００４】
【発明が解決しようとする課題】
しかし、凸部１ａを設けたグリップ部は、撮影時の保持性が良くなり、使用者にとって負担とならないが、使用しない時には、この凸部が邪魔になり携帯性、収納性が悪いという問題を有している。カメラ本体４２にハンドトラップ４１を取り付けたものも、このハンドトラップが邪魔になり携帯性、収納性が悪い。さらに、平均的な手の大きさに合わせて凸部１ａを設けると、手の小さい使用者では、ズームボタンやトリガーボタンに指がとどきにくく、手の大きい使用者では、ズームボタンやトリガーボタンを指先がとおりこしてしまうなど、操作しずらいという問題がある。また、図９に示すように、携帯性、収納性を優先し凸部を少なくしたビデオカメラでは、グリップ形状が手に合わないため、保持性、操作性が悪くなる。
【０００５】
本発明は、上記のような従来の問題点を解消するためになされたもので、撮影時には、使用者がどのような大きさの手をしていても、その大きさに合わせたグリップ部形状とすることで、操作性と保持性がよくなり、非使用時には、凸部を少なくしたグリップ部形状とすることで携帯性と収納性がよくなるカメラを提供することを目的とする。
【０００６】
【課題を解決するための手段】
上記目的を達成するために、本発明が提供するカメラは、次の（１）、（２）に記載のものである。
【０００７】
（１）ファインダー部と、
画像の記録を操作するトリガー手段と、
カメラ本体を保持するグリップ部と、
前記グリップ部に設けた伸縮可能な気密室と、
を具備したカメラ。
【０００８】
（２）前記気密室の気体の充填量を変更可能とするポンプを具備した前記（１）に記載のカメラ。
【０００９】
【作用】
本発明によれば、気密室をふくらませてグリップ部を手の形に合わせることができるから、カメラの保持性がよくなる。
【００１０】
また、気体の充填量を変えて気密室のふくらみを可変することができるから、グリップ部の大きさを使用する人の手の大きさに合わせることができるとともに、ズームボタンやトリガーボタンを操作しやすい位置に指を置くことが可能となる。このため、カメラの操作性がよくなる。
【００１１】
カメラを使用しない時には、気密室の気体を排出することにより、これを凸部の少ない形状にすることができるから、その携帯性と収納性がよくなる。
【００１２】
【発明の実施の形態】
以下、本発明の実施の形態を実施例によって図面を用いて説明する。
【００１３】
（実施例１）
図１は実施例１のビデオカメラの後部正面図で、気密室の気体を排出した状態を示す。
【００１４】
図において、１はカメラ本体、２はカメラ本体に設けたファインダー部、３は画像のスタート、ストップを操作するトリガーボタン、４はズームボタン、５はカメラ本体のグリップ部に配置された気密室である。この気密室５は、その外壁側（グリップ部を把持したときの手のひらがあたる部位）が伸縮性のあるシート材６、その内壁側が一般のモールド材７で構成されている。８は簡易ポンプである。このポンプ８は、気密室５に接続され、その操作により、気密室５へ気体を充填または気密室５から気体を排出することができる。
【００１５】
実施例１のビデオカメラは、上述のような構成となっているから、簡易ポンプ８を操作すると、気密室５は気体が充填され伸縮性のあるシート材６が伸張することによってふくらむ。その結果、グリップ部が図２に示すように、手の小さい使用者の手のひらに沿う形状となる。
【００１６】
簡易ポンプ８をさらに操作すると、気密室５は気体がさらに充填され伸縮性のあるシート材６がさらに伸張することによってさらにふくらむ。その結果、グリップ部が手の大きい使用者の手のひらに沿う形状となり、使用者の指先がちょうどトリガーボタン３とズームボタン４にとどく位置にくる。ふくらんだ気密室５は、簡易ポンプ８の操作によりすぼんで復元する。
【００１７】
（実施例２）
図４は実施例２のビデオカメラの後部正面図で、気密室の気体を排出した状態を示す。
【００１８】
実施例２のビデオカメラは、実施例１における気密室５に代えて、大きい第１気密室１５と小さい気密室１８の２つの気密室を設けたカメラである。両気密室１５、１８の構成材料は、実施例１の気密室５と同じである。すなわち、第１気密室１５は伸縮性のあるシート材１６とモールド材１７とより構成され、第２気密室１８は伸縮性のあるシート材１９とモールド材２０とより構成されている。
【００１９】
２１は第１簡易ポンプで、第１気密室１５に気体を充填またはこれから気体を排出するためのものである。２２は第２簡易ポンプで、第２気密室１８に気体を充填またはこれから気体を排出するためのものである。
【００２０】
いま、第１簡易ポンプ２１を操作すると、第１気密室１５は気体が充填され伸縮性のあるシート材１６が伸張することによってふくらむ。その結果、この部分が、図５に示すように、手のひらに沿う形状となる。さらに第２簡易ポンプ２２を操作すると、第２気密室１８は気体が充填され伸縮性のあるシート材１９が伸張することによってふくらむ。その結果、その部分が手の大きい人の指にあたる形状となり、使用者の指先がちょうどトリガーボタン３、ズームボタン４の位置にくる。このとき、第１気密室１５と第２気密室１８への気体の充填量を調整することにより使用者の好みに合うグリップ形状とすることができる。
【００２１】
（実施例３）
図６は実施例３のビデオカメラの平面図である。
【００２２】
実施例３は、肉厚の薄いビデオカメラの例で、実施例１と実質的に同じ構成の気密室３１をグリップ部に設けた場合である。実施例１と同一ないし相当部分には同一符号が付してある。図中、実線は気体排出時、鎖線は気体充填時の気密室３１の形状を示す。作用効果は、実施例１と同じである。
【００２３】
上記実施例では、気密室の形状を変えるために伸縮性のあるシート材を使用したが、このシート材には、例えば、ゴム、ビニール等の伸縮自在な材料を使用することができる。
【００２４】
【発明の効果】
以上説明したように、本発明によれば、非使用時は凸部を少なくできるので、カメラの形態が携帯性、収納性にすぐれたものとなる。また、使用時には使用者の手の大きさに合わせてグリップ部の形状を変えて自分の好みのグリップ形状とすることができるので、カメラの形態が使用時の負担が少なく保持性にすぐれ、使い勝手の良いものとなる。
【００２５】
また、超小型のカメラは、非使用時は携帯性はすぐれているが、使用時には持ちづらくカメラ本体が安定しないことがあり得るが、本発明を適用すれば保持性にすぐれた形態にすることができる。
【００２６】
カメラは、通電していると、内部発熱によりグリップ部等が熱くなり低温やけどの可能性があるが、本発明を採用すれば、発熱部と手のひらの間の気体の層により、熱が遮断され低温やけどを心配する必要がなくなる。
【図面の簡単な説明】
【図１】実施例１のビデオカメラの後部正面図（気体排出時）である。
【図２】実施例１のビデオカメラの後部正面図（気体充填時）である。
【図３】実施例１のビデオカメラの後部正面図（気体をさらに充填した時）である。
【図４】実施例２のビデオカメラの後部正面図（気体排出時）である。
【図５】実施例２のビデオカメラの後部正面図（気体充填時）である。
【図６】実施例３のビデオカメラの平面図である。
【図７】従来のビデオカメラの後部正面図である。
【図８】従来のビデオカメラの後部正面図である。
【図９】従来のビデオカメラの後部正面図である。
【符号の説明】
１  カメラ本体
２  ファインダー部
３  トリガーボタン
４  ズームボタン
５、３１  気密室
６、１６、１９  伸縮性のあるシート材
７、１７、２０  モールド材
８  簡易ポンプ
１５  第１気密室
１８  第２気密室
２１  第１簡易ポンプ
２２  第２簡易ポンプ